(57)【要約】      （修正有）【課題】ガス捕集管からフェラルを容易に取り外すことができる、ガス捕集管のフェラル取外用治具及びその使用方法を提供する。【解決手段】ガス捕集管１の外周面に取り付けられた環状のフェラル２を取り外すための治具であって、ガス捕集管１の外径以下の外径を有し、当該ガス捕集管１の軸方向端部が設置可能な設置面を有する基台３２と、ガス捕集管１の外径より大きく、且つフェラル２の外径より小さい貫通孔４まが形成された押さえ部材４と、を備えている。【選択図】図４
2010038635.tif 000002
【特許請求の範囲】
【請求項１】
ガス捕集管の外周面に取り付けられた環状のフェラルを取り外すための治具であって、
ガス捕集管の外径以下の外径を有し、当該ガス捕集管の軸方向端部が設置可能な設置面を有する基台と、
ガス捕集管の外径より大きく、且つフェラルの外径より小さい貫通孔または切欠部が形成された押さえ部材と、
を備えている、ガス捕集管のフェラル取外用治具。
【請求項２】
前記基台の設置面には、ガス捕集管に挿入可能な突出部が形成されている、請求項１に記載のガス捕集管のフェラル取外用治具。
【請求項３】
前記基台と押さえ部材とを近接・離間させる移動機構をさらに備えている、請求項１または２に記載のガス捕集管のフェラル取外用治具。
【請求項４】
請求項１から３のいずれかに記載のガス捕集管のフェラル取外用治具の使用方法であって、
ガス捕集管の軸方向端部を、前記基台の設置面に設置するステップと、
ガス捕集管に取り付けられたフェラルにおける前記基台とは反対側の軸方向端部側から、ガス捕集管に前記押さえ部材の貫通孔または切欠部を挿通させるステップと、
前記基台と押さえ部材とを近接させることで、フェラルを軸方向に沿って前記押さえ部材によって押圧し、ガス捕集管から抜き取るステップと、
を備えている、ガス捕集管のフェラル取外用治具の使用方法。
【発明の詳細な説明】
【技術分野】
【０００１】
本発明は、ガス捕集管に取り付けられたフェラルを取り外すための治具及びその使用方法に関する。
【背景技術】
【０００２】
ガスクロマトグラフ用のカラムとしては、例えば、特許文献１に記載のものがある。この文献では、コネクタとカラムとの接続について次のような構造が開示されている。まず、先端が細くなるようにテーパ状に形成され、軸方向に貫通孔が形成されたフェラル、及び同じく軸方向に貫通孔が形成された押しネジを、貫通孔同士が連通するように並べた後、これら貫通孔に円筒状のカラムを嵌め込んでいる。一方、コネクタには、カラムを挿入するための挿入孔が形成されている。この貫通孔は、内壁面の先端部がテーパ状で、これに続く内壁面に雌ネジが形成されている。そして、カラムをコネクタに接続するには、コネクタの挿入孔に、フェラルのテーパ面を押し付けて密着させるとともに、押しネジを雌ネジにねじ込む。これにより、カラムがコネクタに固定されるとともに、フェラルのテーパ面が、挿入孔のテーパ状内壁面に押し付けられて密着するため、ガスの漏れを防止することができる。
【特許文献１】特開平９−１８９６９１号公報
【発明の開示】
【発明が解決しようとする課題】
【０００３】
ところで、上記のようなカラムは繰り返し使用することが多いため、使用後には、カラムからフェラルを取り外す必要がある。この際、カラムはガラスで形成されることが多いので、ペンチなどでフェラルを挟み、無理にカラムから取り外そうとすると、カラムが破損するおそれがあった。このような問題は、ガスクロマトグラフ用カラムにのみ起こりうる問題ではなく、フェラルが取り付けられたガス捕集管全般に起こりうる問題である。
【０００４】
本発明は、上記問題を解決するためになされたものであり、ガス捕集管からフェラルを容易に取り外すことができる、ガス捕集管のフェラル取外用治具及びその使用方法を提供することを目的とする。
【課題を解決するための手段】
【０００５】
本発明に係るガス捕集管の外周面に取り付けられた環状のフェラルを取り外すための治具であって、上記問題を解決するためになされたものであり、ガス捕集管の外径以下の外径を有し、当該ガス捕集管の軸方向端部を設置可能な設置面を有する基台と、ガス捕集管の外径より大きく、且つフェラルの外径より小さい貫通孔または切欠部が形成された押さえ部材と、を備えている。
【０００６】
この治具は、次のように使用することができる。まず、ガス捕集管の軸方向端部を、前記基台の設置面に設置する。次に、ガス捕集管に取り付けられたフェラルの基台とは反対側の軸方向端部側から、ガス捕集管に押さえ部材の貫通孔または切欠部を挿通させる。続いて、基台と押さえ部材とを近接させることで、押さえ部材によってフェラルを軸方向に押圧する。これにより、フェラルは、軸方向に移動してガス捕集管から離脱し、基台の外周面に嵌る。このように、本発明においては、ガス捕集管の外径より大きく、且つフェラルの外径より小さい貫通孔または切欠部を有する押さえ部材を備えているので、この押さえ部材によってフェラルを軸方向に押圧することが可能になる。したがって、ペンチなどでフェラルを径方向から押圧するのと比べ、ガス捕集管に径方向の力が作用するのを防止できる。その結果、フェラルの取り外し時に、ガス捕集管が破損するのを確実に防止することができる。なお、対象となるガス捕集管は必ずしも円筒型でなくてもよく、角筒であってもよい。この場合、基台及び押さえ部材の貫通孔または切欠部は、角筒に合わせた断面形状になっている。
【０００７】
上記基台の設置面には、ガス捕集管に挿入可能な突出部を形成することができる。この構成によれば、ガス捕集管を基台に設置する際に、突出部をガス捕集管に挿入すれば、基台に対してガス捕集管を位置決めできるとともに、基台上にガス捕集管を固定することができる。これにより、押さえ部材でフェラルを押圧する際に、ガス捕集管が基台上で動くのを防止することができる。
【０００８】
この治具においては、基台と押さえ部材とを近接離間させる移動機構をさらに設けることができる。移動機構としては、例えば、ハサミのように２個の棒状部材の中央付近をそれぞれ軸支し、これら棒状部材の先端それぞれに基台及び押さえ部材を取り付けたものを挙げることができる。或いは、モータなどの動力によって、基台と押さえ部材とを近接離間するようにしてもよい。
【０００９】
また、本発明は、上述したガス捕集管のフェラル取外用治具の使用方法であって、ガス捕集管の軸方向端部を、前記基台の設置面に設置するステップと、ガス捕集管に取り付けられたフェラルにおける前記基台とは反対側の軸方向端部側から、ガス捕集管に前記押さえ部材の貫通孔または切欠部を挿通させるステップと、前記基台と押さえ部材とを近接させることで、フェラルを軸方向に沿って前記押さえ部材によって押圧し、ガス捕集管から抜き取るステップと、を備えている。
【発明の効果】
【００１０】
本発明によれば、ガス捕集管からフェラルを容易に取り外すことができる。
【発明を実施するための最良の形態】
【００１１】
以下、本発明に係るガス捕集管のフェラル取り外し用治具の一実施形態について図面を参照しつつ説明する。図１はフェラルが取り付けられたガス捕集管の正面図であり、図２は本実施形態に係る治具の斜視図である。
【００１２】
図１に示すように、本実施形態で用いられるガス捕集管１は円筒状のガラスで形成されており、このガス捕集管１の外周面にフェラル２が取り付けられている。フェラル２は、円筒状に形成され、ガス捕集管１が挿入される貫通孔を有している。そして、外周面における軸方向の一端部には、先端にいくにしたがって細くなるテーパ面２１が形成されている。
【００１３】
図２に示すように、本実施形態に係る治具は、ガス捕集管１が設置される支持体３と、フェラル２を軸方向から押圧する押さえ部材４とを備えている。支持体３は、円形の基板３１と、その上面に配置される円筒状の基台３２とで構成されている。基台３２の上端の設置面３２１には、ガス捕集管１の軸方向端部が設置されるようになっている。すなわち、ガス捕集管１の端部が設置面３２１上に載るように、基台３２の外径ｄ１は、ガス捕集管１の外径Ｄ１の外径より小さく且つ内径Ｄ２よりも大きく形成されている。また、基台３２の設置面３２１には、ガス捕集管１の内部に挿入される円筒状の突出部３３が形成されている。
【００１４】
押さえ部材４は、円板状に形成されており、中央に貫通孔４１が形成されている。この貫通孔４１の内径ｄ２は、ガス捕集管１の外径Ｄ１よりも大きく、且つ、フェラル２の外径Ｄ３よりも小さくなっている。
【００１５】
上述したガス捕集管１、治具の寸法は特には限定されないが、例えば、押さえ部材４の直径を４０ｍｍ，押さえ部材４の貫通孔４１の内径ｄ２を６．３ｍｍ，基板３１の直径５０ｍｍ，基台３２の外径ｄ１を６ｍｍ，突出部３３の直径を３．５ｍｍとすることができる。
【００１６】
続いて、この治具の使用方法について図３〜図５を参照しつつ説明する。まず、ガスの捕集、分析が行われた後、ガスの捕集管を再利用する為にコンディショニング（空焼き）された後のフェラル付ガス捕集管１を準備する。そして、図３に示すように、ガス捕集管１の軸方向両端部のうち、フェラル２のテーパ面２１側の端部を、基台３２の設置面３２１に設置する。このとき、ガス捕集管１の内部に突出部３３が挿入されるようにする。これにより、ガス捕集管１が設置面３２１上で位置決めされ、設置面３２１上で動くのを防止できる。次に、図４に示すように、ガス捕集管１における基台３２とは反対側の端部から押さえ部材４をガス捕集管１に取り付ける。すなわち、押さえ部材４の貫通孔４１にガス捕集管１を挿通させていく。こうして、押さえ部材４がフェラル２の軸方向端部に当接すると、図５に示すように、押さえ部材４を手で上方から押圧し、フェラル２に軸方向下向きの力を作用させる。これにより、フェラル２がガス捕集管１に沿って軸方向下方に移動していく。そして、フェラル２がガス捕集管１から離脱するまで押さえ部材４を押圧する。フェラル２はガス捕集管１から離脱すると、基台３２に嵌った状態になる。こうして、フェラル１の取り外しが完了し、ガス捕集管１が再生可能となる。
【００１７】
以上のように、本実施形態によれば、ガス捕集管１の外径Ｄ１より大きく、且つフェラル２の外径Ｄ２より小さい貫通孔ｄ１を有する押さえ部材４を用いている。これにより、この押さえ部材４がフェラル２の軸方向の端面に当接されるので、押さえ部材４によってフェラル２を軸方向に押圧することが可能になる。したがって、ペンチなどでフェラル２を径方向から押圧するのと比べ、ガス捕集管１に径方向の力が作用するのを防止できる。その結果、フェラル２の取り外し時に、ガス捕集管１が破損するのを確実に防止することができる。
【００１８】
以上、本発明の一実施形態について説明したが、本発明はこの実施形態に限定されるものではなく、その趣旨を逸脱しない限りにおいて種々の変更が可能である。例えば、上記実施形態では、押さえ部材４を円板状に形成し、その中央に貫通孔４１を形成しているが、押さえ部材４がフェラル２の軸方向の端面に当接可能であれば、貫通孔４１ではなく、例えば、図６に示すような、切欠部４２でもよい。この切欠部は、貫通孔４１と同様に幅がｄ１となっているので、切欠部４２の周縁がフェラル２の軸方向端面に当接可能となる。
【００１９】
また、基板３１は、一枚の板材で構成する以外に、例えば、上方へ行くほど径が小さくなるように、径の異なる複数の板材を積層することで構成することができる。例えば、図７に示すように、基板３１を構成すると、押さえ部材４と基板３１の間で指Ｈ等を挟むことを防止することができる。
【００２０】
また、上記実施形態では、手で押さえ部材４を押圧していたが、押さえ部材４と基台３２とを近接させる移動機構を用いることもできる。図８にその例を示す。図８（ａ）に示すように、この例は、ハサミのような２つの棒状部材６１，６２をその中央付近でピン７により軸支し揺動自在としている。そして、各棒状部材６１，６２の一端部に押さえ部材４、基台３２をそれぞれ取り付ける。押さえ部材４には、上述したような切欠部４２が形成されている。移動機構では、棒状部材６１，６２の他端部同士を手で握るなどして近接させれば、図８（ｂ）に示すように、押さえ部材４及び基台３２が近接する。これによって、ガス捕集管１からフェラル２を取り外すことができる。このほか、モータなどの公知の方法で押さえ部材４と基台３２とを近接離間させることもできる。また、押さえ部材の形状は特には限定されず、基台に近接するように力を作用させることかできればよい。
【図面の簡単な説明】
【００２１】
【図１】本発明の一実施形態に用いられるガス捕集管とフェラルを示す正面図である。
【図２】本発明の一実施形態に係るガス捕集管におけるフェラル取外用治具の正面図である。
【図３】図２の治具の使用方法を示す図である。
【図４】図２の治具の使用方法を示す図である。
【図５】図２の治具の使用方法を示す図である。
【図６】図２に示す押さえ部材の他の例を示す平面図である。
【図７】図２に示す治具の他の例を示す正面図である。
【図８】移動機構の一例を示す斜視図である。
【符号の説明】
【００２２】
１  ガス捕集管
２  フェラル
３２  基台
３３  突出部
４  押さえ部材
【図１】
2010038635.tif 000003
【図２】
2010038635.tif 000004
【図３】
2010038635.tif 000005
【図４】
2010038635.tif 000006
【図５】
2010038635.tif 000007
【図６】
2010038635.tif 000008
【図７】
2010038635.tif 000009
【図８】
2010038635.tif 000010